(57)【特許請求の範囲】
【請求項１】
記録媒体に記録された符号化されたオーディオデータを読み出して復号化し、オーディオ信号として再生するオーディオ信号再生装置であって、
１回の読み出し処理において、少なくとも所定数の復号化単位毎に、符号化されたオーディオデータを記録媒体より読み出す読み出し手段と、
この読み出し手段によって読み出されたオーディオデータを入力し、復号化の対象となる復号化単位のオーディオデータとその時間的な前後の復号化単位のオーディオデータとを用いて、復号化の対象となる復号化単位のオーディオデータを復号化し、オーディオ信号を生成する復号化手段と、
この復号化手段によって生成されたオーディオ信号を一旦記憶し、出力する記憶手段と、
前記読み出し手段、前記復号化手段および前記記憶手段を制御し、前記読み出し手段によって、１回の読み出し処理において、少なくとも、所定数の復号化単位のオーディオデータとその時間的な前後の復号化単位のオーディオデータとを読み出させ、読み出されたオーディオデータを前記復号化手段に与えて復号化させ、得られたオーディオ信号を前記記憶手段によって記憶させ、この記憶手段によって記憶されたオーディオ信号を時間的に逆方向に出力させることによってオーディオ信号の逆方向の再生を行うための制御を含む再生の制御を行う制御手段と
を備えたことを特徴とするオーディオ信号再生装置。
【請求項２】
前記復号化手段は、２つの復号化器を有し、
前記制御手段は、オーディオ信号の逆方向の再生時に、１回の読み出し処理毎に、復号化処理を２つの復号化器に交互に行わせる
ことを特徴とする請求項１記載のオーディオ信号再生装置。
【請求項３】
記録媒体に記録された符号化されたオーディオデータを読み出して復号化し、オーディオ信号として再生するオーディオ信号再生方法であって、
１回の読み出し処理において、少なくとも、所定数の復号化単位のオーディオデータとその時間的な前後の復号化単位のオーディオデータとを記録媒体より読み出し、
読み出されたオーディオデータのうち、復号化の対象となる復号化単位のオーディオデータとその時間的に前後の復号化単位のオーディオデータとを用いて、復号化の対象となる復号化単位のオーディオデータを復号化して、オーディオ信号を生成し、
生成されたオーディオ信号を一旦記憶し、時間的に逆方向に出力させることによりオーディオ信号の逆方向の再生を行う
ことを特徴とするオーディオ信号再生方法。
【請求項４】
復号化は、１回の読み出し処理毎に、２つの復号化器によって交互に行う
ことを特徴とする請求項３記載のオーディオ信号再生方法。
【請求項５】
オーディオ信号を符号化し、符号化されたオーディオデータを記録媒体に記録すると共に、記録媒体に記録された符号化されたオーディオデータを読み出して復号化し、オーディオ信号として再生するオーディオ信号記録再生装置であって、
オーディオ信号を符号化単位毎に符号化して、符号化されたオーディオデータを生成する符号化手段と、
１回の記録処理において、所定数の符号化単位毎に、前記符号化手段によって生成された符号化されたオーディオデータを記録媒体に記録する記録手段と、
１回の読み出し処理において、少なくとも所定数の復号化単位毎に、符号化されたオーディオデータを記録媒体より読み出す読み出し手段と、
この読み出し手段によって読み出されたオーディオデータを入力し、復号化の対象となる復号化単位のオーディオデータとその時間的な前後の復号化単位のオーディオデータとを用いて、復号化の対象となる復号化単位のオーディオデータを復号化し、オーディオ信号を生成する復号化手段と、
この復号化手段によって生成されたオーディオ信号を一旦記憶し、出力する記憶手段と、
前記符号化手段、前記記録手段、前記読み出し手段、前記復号化手段および前記記憶手段を制御し、前記読み出し手段によって、１回の読み出し処理において、少なくとも、所定数の復号化単位のオーディオデータとその時間的な前後の復号化単位のオーディオデータとを読み出させ、読み出されたオーディオデータを前記復号化手段に与えて復号化させ、得られたオーディオ信号を前記記憶手段によって記憶させ、この記憶手段によって記憶されたオーディオ信号を時間的に逆方向に出力させることによってオーディオ信号の逆方向の再生を行うための制御を含む記録および再生の制御を行う制御手段と
を備えたことを特徴とするオーディオ信号記録再生装置。
【請求項６】
前記復号化手段は、２つの復号化器を有し、
前記制御手段は、オーディオ信号の逆方向の再生時に、１回の読み出し処理毎に、復号化処理を２つの復号化器に交互に行わせる
ことを特徴とする請求項５記載のオーディオ信号記録再生装置。
【請求項７】
オーディオ信号を符号化し、符号化されたオーディオデータを記録媒体に記録すると共に、記録媒体に記録された符号化されたオーディオデータを読み出して復号化し、オーディオ信号として再生するオーディオ信号記録再生方法であって、
記録時には、オーディオ信号を符号化単位毎に符号化して、符号化されたオーディオデータを生成し、１回の記録処理において、所定数の符号化単位毎に、符号化されたオーディオデータを記録媒体に記録し、
再生時には、１回の読み出し処理において、少なくとも、所定数の復号化単位のオーディオデータとその時間的な前後の復号化単位のオーディオデータとを記録媒体より読み出し、読み出されたオーディオデータのうち、復号化の対象となる復号化単位のオーディオデータとその時間的に前後の復号化単位のオーディオデータとを用いて、復号化の対象となる復号化単位のオーディオデータを復号化して、オーディオ信号を生成し、生成されたオーディオ信号を一旦記憶し、時間的に逆方向に出力させることによりオーディオ信号の逆方向の再生を行う
ことを特徴とするオーディオ信号記録再生方法。
【請求項８】
復号化は、１回の読み出し処理毎に、２つの復号化器によって交互に行う
ことを特徴とする請求項７記載のオーディオ信号記録再生方法。
【発明の詳細な説明】
【０００１】
【発明の属する技術分野】
本発明は、記録媒体に記録された符号化されたオーディオデータを復号化し、オーディオ信号として再生するためのオーディオ信号再生装置および方法、ならびにオーディオ信号を符号化し、符号化されたオーディオデータとして記録媒体に記録すると共に、記録媒体に記録された符号化されたオーディオデータを復号化し、オーディオ信号として再生するためのオーディオ信号記録再生装置および方法に関する。
【０００２】
【従来の技術】
近年、オーディオ信号やビデオ信号の符号化方法として、ＭＰＥＧ（Moving Picture Experts Group）規格（ＭＰＥＧオーディオ規格およびＭＰＥＧビデオ規格）による符号化方法が広く利用されている。また、ＭＰＥＧ規格による符号化方法を用いて、オーディオ信号やビデオ信号を符号化し、符号化されたオーディオデータ（以下、単にオーディオデータとも言う。）や符号化されたビデオデータ（以下、単にビデオデータとも言う。）を記録媒体に記録すると共に、記録媒体に記録されたオーディオデータやビデオデータを復号化し、オーディオ信号やビデオ信号として再生する記録再生装置も実用化されている。この記録再生装置において、符号化されたデータの記録および再生を行う装置としてはハードディスク装置や光ディスク装置等が用いられ、記録媒体としてはハードディスク（磁気ディスク）や光ディスク（光磁気ディスクを含む。）等が用いられる。
【０００３】
ところで、上述のようなＭＰＥＧ規格を用いる記録再生装置では、一般に、記録媒体に対するオーディオデータおよびビデオデータの記録および再生は、ビデオデータにおけるＧＯＰ（グループオブピクチャ）単位で行われている。ＧＯＰとは、ランダムアクセスの単位となるものであり、少なくとも１枚のフレーム内符号化画像（Ｉピクチャ）を含む複数（例えば１５）のビデオフレーム（ピクチャ）で構成される。
【０００４】
ここでは、１ＧＯＰが１５ビデオフレームで構成されている場合を考える。また、ＭＰＥＧオーディオ規格では、レイヤ１、レイヤ２およびレイヤ３の３種類のアルゴリズムが規定されているが、ここでは、レイヤ２の場合を考える。ＭＰＥＧオーディオ規格のレイヤ２では、１１５２オーディオサンプルで１つのオーディオフレームを構成しており、このオーディオフレーム単位で符号化および復号化を行っている。
【０００５】
ここで、１ＧＯＰが１５ビデオフレームで構成され、オーディオ信号のサンプリング周波数を４８ｋＨｚとすると、１ＧＯＰ当たりのオーディオサンプル数は、次の式（１）によって求められる。
【０００６】
１５（ビデオフレーム）×（１／３０（秒））×（１００１／１０００）
×４８（ｋＨｚ）＝２４０２４（オーディオサンプル）  …（１）
【０００７】
なお、式（１）において、１５（ビデオフレーム）×（１／３０（秒））×（１００１／１０００）は、１ＧＯＰの時間を表している。
【０００８】
式（１）式より、１ＧＯＰ当たりのオーディオフレーム数は、次の式（２）によって求められる。
【０００９】
２４０２４／１１５２＝２０．８５４１６７（オーディオフレーム）…（２）
【００１０】
このように、１ＧＯＰ当たりのオーディオフレーム数は整数にならないため、従来、記録媒体に対してＧＯＰ単位でオーディオデータの記録および再生を行う場合には、２０または２１オーディオフレームずつ記録および再生を行うようにしている。
【００１１】
【発明が解決しようとする課題】
ここで、記録媒体より、あるＧＯＰの先頭から順にオーディオデータを再生する場合を考える。ＭＰＥＧオーディオ規格では、あるオーディオフレームのデータを復号化して再生する際には、そのオーディオフレームのみならず、その時間的な前後のオーディオフレームのデータをも用いて復号化する必要がある。順方向にオーディオデータを再生する場合には、再生しようとするＧＯＰの先頭のオーディオフレームの前に、まず、その一つ手前のオーディオフレームのデータを記録媒体より読み出し、後は、連続的にオーディオデータを読み出して、順に復号化していけばよい。
【００１２】
ところで、従来の記録再生装置には、ビデオデータに関しては逆方向にも再生できるようにしたものがある。しかしながら、従来は、このような記録再生装置でも、オーディオデータに関して逆方向にも再生できるものはなかった。オーディオデータに関しても逆方向にも再生できるようにすれば、記録再生装置の利用範囲が広がることが考えられる。しかしながら、ＭＰＥＧオーディオ規格によるオーディオデータの場合には、前述のように、復号化の際に、前後のオーディオフレームのデータも必要となることから、ＧＯＰ単位で記録媒体からオーディオデータを読み出しながら逆方向に再生しようとすると、あるＧＯＰにおけるオーディオデータを再生する際には、その前に再生するＧＯＰにおける最初のオーディオフレームのオーディオデータと、その後に再生するＧＯＰにおける最後のオーディオフレームのオーディオデータとが必要となり、順方向の再生のような単純な処理では、逆方向の再生ができないという問題点がある。
【００１３】
本発明はかかる問題点に鑑みてなされたもので、その目的は、記録媒体に記録された符号化されたオーディオデータを、所定数の復号化単位毎に読み出して、復号化単位毎に復号化し、オーディオ信号として再生する場合において、オーディオ信号の逆方向の再生を可能としたオーディオ信号再生装置および方法ならびにオーディオ信号記録再生装置および方法を提供することにある。
【００１４】
【課題を解決するための手段】
本発明のオーディオ信号再生装置は、記録媒体に記録された符号化されたオーディオデータを読み出して復号化し、オーディオ信号として再生するオーディオ信号再生装置であって、１回の読み出し処理において、少なくとも所定数の復号化単位毎に、符号化されたオーディオデータを記録媒体より読み出す読み出し手段と、この読み出し手段によって読み出されたオーディオデータを入力し、復号化の対象となる復号化単位のオーディオデータとその時間的な前後の復号化単位のオーディオデータとを用いて、復号化の対象となる復号化単位のオーディオデータを復号化し、オーディオ信号を生成する復号化手段と、この復号化手段によって生成されたオーディオ信号を一旦記憶し、出力する記憶手段と、読み出し手段、復号化手段および記憶手段を制御し、読み出し手段によって、１回の読み出し処理において、少なくとも、所定数の復号化単位のオーディオデータとその時間的な前後の復号化単位のオーディオデータとを読み出させ、読み出されたオーディオデータを復号化手段に与えて復号化させ、得られたオーディオ信号を記憶手段によって記憶させ、この記憶手段によって記憶されたオーディオ信号を時間的に逆方向に出力させることによってオーディオ信号の逆方向の再生を行うための制御を含む再生の制御を行う制御手段とを備えたものである。
【００１５】
本発明のオーディオ信号再生方法は、記録媒体に記録された符号化されたオーディオデータを読み出して復号化し、オーディオ信号として再生するオーディオ信号再生方法であって、１回の読み出し処理において、少なくとも、所定数の復号化単位のオーディオデータとその時間的な前後の復号化単位のオーディオデータとを記録媒体より読み出し、読み出されたオーディオデータのうち、復号化の対象となる復号化単位のオーディオデータとその時間的に前後の復号化単位のオーディオデータとを用いて、復号化の対象となる復号化単位のオーディオデータを復号化して、オーディオ信号を生成し、生成されたオーディオ信号を一旦記憶し、時間的に逆方向に出力させることによりオーディオ信号の逆方向の再生を行うものである。
【００１６】
本発明のオーディオ信号記録再生装置は、オーディオ信号を符号化し、符号化されたオーディオデータを記録媒体に記録すると共に、記録媒体に記録された符号化されたオーディオデータを読み出して復号化し、オーディオ信号として再生するオーディオ信号記録再生装置であって、オーディオ信号を符号化単位毎に符号化して、符号化されたオーディオデータを生成する符号化手段と、１回の記録処理において、所定数の符号化単位毎に、符号化手段によって生成された符号化されたオーディオデータを記録媒体に記録する記録手段と、１回の読み出し処理において、少なくとも所定数の復号化単位毎に、符号化されたオーディオデータを記録媒体より読み出す読み出し手段と、この読み出し手段によって読み出されたオーディオデータを入力し、復号化の対象となる復号化単位のオーディオデータとその時間的な前後の復号化単位のオーディオデータとを用いて、復号化の対象となる復号化単位のオーディオデータを復号化し、オーディオ信号を生成する復号化手段と、この復号化手段によって生成されたオーディオ信号を一旦記憶し、出力する記憶手段と、符号化手段、記録手段、読み出し手段、復号化手段および記憶手段を制御し、読み出し手段によって、１回の読み出し処理において、少なくとも、所定数の復号化単位のオーディオデータとその時間的な前後の復号化単位のオーディオデータとを読み出させ、読み出されたオーディオデータを復号化手段に与えて復号化させ、得られたオーディオ信号を記憶手段によって記憶させ、この記憶手段によって記憶されたオーディオ信号を時間的に逆方向に出力させることによってオーディオ信号の逆方向の再生を行うための制御を含む記録および再生の制御を行う制御手段とを備えたものである。
【００１７】
本発明のオーディオ信号記録再生方法は、オーディオ信号を符号化し、符号化されたオーディオデータを記録媒体に記録すると共に、記録媒体に記録された符号化されたオーディオデータを読み出して復号化し、オーディオ信号として再生するオーディオ信号記録再生方法であって、記録時には、オーディオ信号を符号化単位毎に符号化して、符号化されたオーディオデータを生成し、１回の記録処理において、所定数の符号化単位毎に、符号化されたオーディオデータを記録媒体に記録し、再生時には、１回の読み出し処理において、少なくとも、所定数の復号化単位のオーディオデータとその時間的な前後の復号化単位のオーディオデータとを記録媒体より読み出し、読み出されたオーディオデータのうち、復号化の対象となる復号化単位のオーディオデータとその時間的に前後の復号化単位のオーディオデータとを用いて、復号化の対象となる復号化単位のオーディオデータを復号化して、オーディオ信号を生成し、生成されたオーディオ信号を一旦記憶し、時間的に逆方向に出力させることによりオーディオ信号の逆方向の再生を行うものである。
【００１８】
本発明のオーディオ信号再生装置または本発明のオーディオ信号記録再生装置では、読み出し手段によって、１回の読み出し処理において、少なくとも、所定数の復号化単位のオーディオデータとその時間的な前後の復号化単位のオーディオデータとが読み出され、読み出されたオーディオデータが復号化手段によって復号化され、得られたオーディオ信号が記憶手段によって記憶され、時間的に逆方向に出力されることによってオーディオ信号の逆方向の再生が行われる。
【００１９】
本発明のオーディオ信号再生方法または本発明のオーディオ信号記録再生方法では、１回の読み出し処理において、少なくとも、所定数の復号化単位のオーディオデータとその時間的な前後の復号化単位のオーディオデータとが記録媒体より読み出され、読み出されたオーディオデータのうち、復号化の対象となる復号化単位のオーディオデータとその時間的に前後の復号化単位のオーディオデータとを用いて、復号化の対象となる復号化単位のオーディオデータが復号化されて、オーディオ信号が生成され、生成されたオーディオ信号が一旦記憶され、時間的に逆方向に出力されることによりオーディオ信号の逆方向の再生が行われる。
【００２０】
【発明の実施の形態】
以下、本発明の実施の形態について図面を参照して詳細に説明する。図１は、本発明の第１の実施の形態に係るオーディオ信号再生装置およびオーディオ信号記録再生装置としてのオーディオ・ビデオ信号記録再生装置の構成を示すブロック図である。このオーディオ・ビデオ信号記録再生装置は、入力デジタルビデオ信号ＶI をＭＰＥＧビデオ規格に従って圧縮符号化して、符号化されたビデオデータ（以下、単にビデオデータとも言う。）を生成し、出力するＭＰＥＧビデオエンコーダ１１と、入力デジタルオーディオ信号ＡI をＭＰＥＧオーディオ規格に従って圧縮符号化して、符号化されたオーディオデータ（以下、単にオーディオデータとも言う。）を生成し、出力するＭＰＥＧオーディオエンコーダ１２と、ＭＰＥＧビデオエンコーダ１１より出力されるビデオデータおよびＭＰＥＧオーディオエンコーダ１２より出力されるオーディオデータを一時的に記憶するためのメモリ１３と、ビデオデータおよびオーディオデータを記録媒体としてのハードディスク（磁気ディスク）に記録すると共に、このハードディスクよりビデオデータおよびオーディオデータを読み出すためのハードディスク装置（図では、ＨＤＤと記す。）１５と、このハードディスク装置１５に接続されたデータ伝送路としてのＰＣＩ（Peripheral Component Interconnect ）ローカルバス１０と、メモリ１４とＰＣＩローカルバス１０との間のインタフェースをとるＰＣＩインタフェース回路（図では、ＰＣＩ  Ｉ／Ｆ回路と記す。）１４とを備えている。
【００２１】
オーディオ・ビデオ信号記録再生装置は、更に、ハードディスク装置１５より読み出されたビデオデータおよびオーディオデータを一時的に記憶するためのメモリ１７と、このメモリ１７とＰＣＩローカルバス１０との間のインタフェースをとるＰＣＩインタフェース回路（図では、ＰＣＩ  Ｉ／Ｆ回路と記す。）１６と、メモリ１７より出力されるビデオデータをＭＰＥＧビデオ規格に従って復号化して、ビデオ信号を生成し、出力デジタルビデオ信号ＶO として出力するＭＰＥＧビデオデコーダ１８と、メモリ１７より出力されるオーディオデータをＭＰＥＧオーディオ規格に従って復号化して、オーディオ信号を生成する復号化器としてのＭＰＥＧオーディオデコーダ（１）２１と、同様に、メモリ１７より出力されるオーディオデータをＭＰＥＧオーディオ規格に従って復号化して、デジタルオーディオ信号を生成する復号化器としてのＭＰＥＧオーディオデコーダ（２）２２と、各ＭＰＥＧオーディオデコーダ（１）２１，２２より出力されるデジタルオーディオ信号を一時的に記憶し、出力デジタルオーディオ信号ＡO として出力するためのメモリ２３とを備えている。
【００２２】
オーディオ・ビデオ信号記録再生装置は、更に、ＭＰＥＧビデオエンコーダ１１，ＭＰＥＧオーディオエンコーダ１２，メモリ１３，ＰＣＩインタフェース回路１４，ハードディスク装置１５，ＰＣＩインタフェース回路１６，メモリ１７，ＭＰＥＧビデオデコーダ１８，ＭＰＥＧオーディオデコーダ（１）２１，ＭＰＥＧオーディオデコーダ（２）２２およびメモリ２３を制御して、ビデオ信号およびオーディオ信号の記録および再生の制御を行う制御手段としてのＣＰＵ（中央処理装置）２５とを備えている。なお、ＣＰＵ２５は、プログラム等を格納したＲＯＭ（リード・オンリ・メモリ）および作業領域となるＲＡＭ（ランダム・アクセス・メモリ）を含んでいる。
【００２３】
図２は、図１におけるＭＰＥＧオーディオエンコーダ１２の構成の一例を示すブロック図である。この図に示したＭＰＥＧオーディオエンコーダ１２は、ＭＰＥＧオーディオ規格のレイヤ２に対応したものである。このＭＰＥＧオーディオエンコーダ１２は、入力デジタルオーディオ信号ＡI を入力し、３２帯域のサブバンド信号に分割して出力するサブバンド分析フィルタバンク３１と、このサブバンド分析フィルタバンク３１の各出力信号を量子化する線形量子化器３２と、この線形量子化器３２の各出力信号に基づいて、符号化されたオーディオデータを生成すると共に、この符号化されたオーディオデータに、ＣＲＣ（巡回冗長チェック）のためのエラーチェックや、後述する符号化されたサイド情報等を付加して、所定のデータ構造のオーディオビットストリームＡBSとして出力するビットストリーム形成部３３とを備えている。
【００２４】
ＭＰＥＧオーディオエンコーダ１２は、更に、入力デジタルオーディオ信号ＡI を高速フーリエ変換（ＦＦＴ）するＦＦＴ部３４と、サブバンド分析フィルタバンク３１の各出力信号よりスケールファクタを抽出するスケールファクタ抽出部３５と、ＦＦＴ部３４の出力信号とスケールファクタ抽出部３５によって抽出されたスケールファクタとを用いて、心理聴覚分析のための心理聴覚モデルを形成する心理聴覚モデル形成部３６と、この心理聴覚モデル形成部３６によって形成された心理聴覚モデルに基づいて、動的にビット割り当てを行い、ビット割り当て情報を線形量子化器３２に与えて、線形量子化器３２における量子化特性を制御する動的ビット割当部３７と、スケールファクタ抽出部３５によって抽出されたスケールファクタおよび動的ビット割当部３７からのビット割り当て情報を、サイド情報として符号化し、符号化されたサイド情報をビットストリーム形成部３３に与えるサイド情報符号化部３８とを備えている。
【００２５】
ここで、図２に示したＭＰＥＧオーディオエンコーダ１２の動作について説明する。このＭＰＥＧオーディオエンコーダ１２では、入力デジタルオーディオ信号ＡI は、サブバンド分析フィルタバンク３１によって、３２帯域のサブバンド信号に分割され、このサブバンド信号は、線形量子化器３２によって量子化される。また、入力デジタルオーディオ信号ＡI は、ＦＦＴ部３４によって高速フーリエ変換され、ＦＦＴ部３４の出力信号は心理聴覚モデル形成部３６に入力される。また、スケールファクタ抽出部３５によって、サブバンド分析フィルタバンク３１の各出力信号よりスケールファクタが抽出され、このスケールファクタは心理聴覚モデル形成部３６に入力される。そして、心理聴覚モデル形成部３６によって、ＦＦＴ部３４の出力信号とスケールファクタ抽出部３５によって抽出されたスケールファクタとを用いて、心理聴覚分析のための心理聴覚モデルが形成され、この心理聴覚モデルに基づいて、動的ビット割当部３７によって、動的にビット割り当てが行われ、線形量子化器３２における量子化特性が制御される。線形量子化器３２の出力信号は、ビットストリーム形成部３３に入力される。また、サイド情報符号化部３８によって、スケールファクタ抽出部３５によって抽出されたスケールファクタおよび動的ビット割当部３７からのビット割り当て情報が、サイド情報として符号化され、ビットストリーム形成部３３に入力される。そして、ビットストリーム形成部３３によって、線形量子化器３２の各出力信号に基づいて、符号化されたオーディオデータが生成されると共に、この符号化されたオーディオデータに、エラーチェックや、サイド情報符号化部３８によって符号化されたサイド情報等が付加され、所定のデータ構造のビットストリームが形成され、オーディオビットストリームＡBSとして出力される。
【００２６】
図３は、図１におけるＭＰＥＧオーディオデコーダ２１，２２の構成の一例を示すブロック図である。この図に示したＭＰＥＧオーディオデコーダ２１，２２は、ＭＰＥＧオーディオ規格のレイヤ２に対応したものである。このＭＰＥＧオーディオデコーダ２１，２２は、オーディオビットストリームＡBSを入力し、このオーディオビットストリームＡBSをヘッダ，サイド情報および量子化されたサブバンド信号に分離する復号処理を行うビットストリーム復号部４１と、このビットストリーム復号部４１によって分離されたサイド情報４４であるスケールファクタおよびビット割り当て情報に基づいて、ビットストリーム復号部４１によって分離された量子化されたサブバンド信号を逆量子化する逆量子化部４２と、この逆量子化部４２より出力される逆量子化後のサブバンド信号を合成して、デジタルオーディオ信号ＡD として出力するサブバンド合成フィルタバンク４３とを備えている。
【００２７】
ここで、図３に示したＭＰＥＧオーディオデコーダ２１，２２の動作について説明する。このＭＰＥＧオーディオデコーダ２１，２２では、ビットストリーム復号部４１によって、オーディオビットストリームＡBSがヘッダ，サイド情報および量子化されたサブバンド信号に分離され、逆量子化部４２によって、サイド情報４４であるスケールファクタおよびビット割り当て情報に基づいて、量子化されたサブバンド信号が逆量子化され、この逆量子化後のサブバンド信号が、サブバンド合成フィルタバンク４３によって合成され、デジタルオーディオ信号ＡD として出力される。
【００２８】
次に、本実施の形態に係るオーディオ・ビデオ信号記録再生装置の動作について説明する。なお、以下の説明は、本実施の形態に係るオーディオ信号再生方法およびオーディオ信号記録再生方法の説明を兼ねている。
【００２９】
ビデオ信号およびオーディオ信号の記録時には、ＣＰＵ２５によって、ＭＰＥＧビデオエンコーダ１１，ＭＰＥＧオーディオエンコーダ１２，メモリ１３，ＰＣＩインタフェース回路１４およびハードディスク装置１５が制御されて、記録の制御が行われる。具体的には、入力デジタルビデオ信号ＶI がＭＰＥＧビデオエンコーダ１１によって圧縮符号化されて、符号化されたビデオデータが生成され、入力デジタルオーディオ信号ＡI がＭＰＥＧオーディオエンコーダ１２によって圧縮符号化されて、符号化されたオーディオデータが生成され、これら符号化されたビデオデータおよびオーディオデータがメモリ１３に書き込まれる。メモリ１３に書き込まれたデータは、ＣＰＵ２５からのコマンドにより、メモリ１３から読み出される。同時に、ＣＰＵ２５からのコマンドを受けたＰＣＩインタフェース回路１４は、ＰＣＩローカルバス１０に、メモリ１３から読み出されたデータを送り、ハードディスク装置１５にデータを転送する。データを受信したハードディスク装置１５は、内部のハードディスクにデータを記録する。
【００３０】
この記録時において、ビデオ信号の符号化は、符号化単位としてのビデオフレーム単位で行われ、オーディオ信号の符号化は、符号化単位としてのオーディオフレーム単位で行われる。また、ハードディスク装置１５におけるビデオデータおよびオーディオデータの記録処理は、所定数の符号化単位としてのＧＯＰ単位で行われる。ここで、オーディオ信号のサンプリング周波数が４８ｋＨｚであり、１１５２オーディオサンプルで１つのオーディオフレームが構成され、１ＧＯＰが１５ビデオフレームで構成されているとすると、ハードディスク装置１５におけるオーディオデータの記録処理は、２０または２１オーディオフレームずつ行われる。
【００３１】
ビデオ信号およびオーディオ信号の再生時には、ＣＰＵ２５によって、ハードディスク装置１５，ＰＣＩインタフェース回路１６，メモリ１７，ＭＰＥＧビデオデコーダ１８，ＭＰＥＧオーディオデコーダ（１）２１，ＭＰＥＧオーディオデコーダ（２）２２およびメモリ２３が制御されて、再生の制御が行われる。具体的には、ＣＰＵ２５からＰＣＩインタフェース回路１６に、ハードディスク装置１５からデータを読み出すようにコマンドが送られ、このコマンドを受け取ったＰＣＩインタフェース回路１６は、ハードディスク装置２５からデータを読み出すようにＰＣＩローカルバス１０にコマンドを出力して、ハードディスク装置２５からデータを読み出す。読み出されたデータは、ＰＣＩローカルバス１０を介して、ＰＣＩインタフェース回路１６に送られ、ＣＰＵ２５からのコマンドにより、メモリ１７に書き込まれる。
【００３２】
次に、ＣＰＵ２５からのコマンドにより、メモリ１７から、符号化されたビデオデータおよび符号化されたオーディオデータが読み出される。読み出されたビデオデータは、ＭＰＥＧビデオデコーダ１８によって復号化されてビデオ信号に復元され、出力デジタルビデオ信号ＶO として出力される。
【００３３】
一方、メモリ１７から読み出されたオーディオデータは、ＣＰＵ２５からのコマンドにより、ＭＰＥＧオーディオデコーダ（１）２１およびＭＰＥＧオーディオデコーダ（２）２２に送られ、ＭＰＥＧオーディオデコーダ（１）２１またはＭＰＥＧオーディオデコーダ（２）２２によって復号化されてオーディオ信号に復元される。このオーディオ信号は、ＣＰＵ２５からのコマンドにより、メモリ２３に書き込まれ、読み出されて、出力デジタルオーディオ信号ＡO として出力される。
【００３４】
再生時において、ハードディスク装置１５におけるビデオデータおよびオーディオデータの読み出し処理は、記録時と同様に、所定数の復号化単位としてのＧＯＰ単位で行われる。また、ビデオ信号の復号化は、符号化単位に対応した復号化単位としてのビデオフレーム単位で行われ、オーディオ信号の復号化は、符号化単位に対応した復号化単位としてのオーディオフレーム単位で行われる。
【００３５】
本実施の形態に係るオーディオ・ビデオ信号記録再生装置では、ビデオ信号およびオーディオ信号の順方向の再生と逆方向の再生とが可能になっている。ビデオ信号については、ＧＯＰ単位で読み出されたビデオデータに基づいて、ＭＰＥＧビデオデコーダ１８において、１ＧＯＰに含まれる全てのビデオフレームの復号化が可能となるので、順方向の再生時には、復号化されて得られた各ビデオフレーム毎のビデオ信号を順方向に出力し、逆方向の再生時には、復号化されて得られた各ビデオフレーム毎のビデオ信号を逆方向に出力すればよい。
【００３６】
これに対し、オーディオ信号の場合には、ＭＰＥＧオーディオデコーダ２１，２２で、あるオーディオフレームのデータを復号化して再生する際には、図３におけるサブバンド合成フィルタバンク４３において、そのオーディオフレームのみならず、その時間的な前後のオーディオフレームのデータも必要となる。そのため、再生時には、以下のような処理を行う。
【００３７】
まず、オーディオ信号の順方向の再生の際には、ＭＰＥＧオーディオデコーダ（１）２１のみを用いて、オーディオデータの復号化を行う。この場合、始めに、再生しようとするＧＯＰの先頭のオーディオフレームの前に、まず、その一つ手前のオーディオフレームのデータをハードディスクより読み出し、後は、連続的にオーディオデータを読み出して、順にＭＰＥＧオーディオデコーダ（１）２１によって復号化を行う。復号化されて得られたオーディオ信号は、メモリ２３に書き込まれる。順方向の再生の際には、このメモリ２３より、オーディオ信号を順方向に読み出して、出力デジタルオーディオ信号ＡO として出力する。
【００３８】
オーディオ信号の逆方向の再生の際には、ハードディスク装置１５における１回の読み出し処理において、少なくとも、再生しようとする１ＧＯＰ分のオーディオデータとその時間的な前後のオーディオフレームのオーディオデータとを読み出す。本実施の形態では、ハードディスク装置１５における１回の読み出し処理において、再生しようとする１ＧＯＰ分のオーディオデータとその時間的な前後のＧＯＰのオーディオデータとを読み出す。そして、この１回の読み出し処理において読み出したオーディオデータを用いた復号化処理を、１回の読み出し処理毎に、２つのＭＰＥＧオーディオデコーダ２１，２２に交互に行わせる。各ＭＰＥＧオーディオデコーダ２１，２２は、再生しようとする１ＧＯＰ分のオーディオデータとその時間的な前後のオーディオフレームのオーディオデータと用いて、１ＧＯＰ分のオーディオデータの復号化を行う。
【００３９】
図４は、各ＭＰＥＧオーディオデコーダ２１，２２において、１ＧＯＰ分のオーディオデータの復号化を行う場合に必要なオーディオフレームの一例を表したものである。この図において、順番に０〜２２の数字を付したマスが、それぞれオーディオフレームを表している。この例では、１番から２１番のオーディオフレームが１ＧＯＰ分のオーディオフレームであり、これらのオーディオフレームのオーディオデータと、その時間的な前後のオーディオフレームである０番および２２番のオーディオフレームとを用いて、１ＧＯＰ分のオーディオデータの復号化を行うようになっている。より詳しく説明すると、ＭＰＥＧオーディオデコーダ２１，２２は、０番，１番および２番のオーディオフレームのオーディオデータを用いて１番のオーディオフレームのオーディオデータを復号化し、１番，２番および３番のオーディオフレームのオーディオデータを用いて２番のオーディオフレームのオーディオデータを復号化し、以下同様にして、最後に、２０番，２１番および２２番のオーディオフレームのオーディオデータを用いて２１番のオーディオフレームのオーディオデータを復号化する。これにより、１番から２１番までの１ＧＯＰ分のオーディオフレームのオーディオ信号が正しく再生される。なお、図４では、１ＧＯＰ当たりのオーディオフレーム数が２１の場合の例を示したが、１ＧＯＰ当たりのオーディオフレーム数が２０の場合には、１番から２０番のオーディオフレームのオーディオデータと、その時間的な前後のオーディオフレームである０番および２１番のオーディオフレームとを用いて、１ＧＯＰ分のオーディオデータの復号化を行うことになる。
【００４０】
各ＭＰＥＧオーディオデコーダ２１，２２によって復号化されて得られたオーディオ信号は、メモリ２３に書き込まれる。逆方向の再生の際には、このメモリ２３より、オーディオ信号を逆方向（時間的に逆方向であり、書き込み時に対して逆方向でもある。）に読み出して、出力デジタルオーディオ信号ＡO として出力する。
【００４１】
ここで、図５および図６を参照して、オーディオ信号の逆方向の再生の動作の具体例について説明する。なお、図５および図６は、復号化の際のオーディオデータおよびオーディオ信号の関係を表したものであり、処理のタイミングを表しているわけではない。
【００４２】
図５は、−１／３倍速でオーディオ信号の逆方向の再生を行う場合について示している。図５において、（ａ）は、ハードディスク装置１５において読み出されるＧＯＰを表し、（ｂ）はＭＰＥＧオーディオデコーダ（１）２１に入力されるオーディオデータを表し、（ｃ）はＭＰＥＧオーディオデコーダ（２）２２に入力されるオーディオデータを表し、（ｄ）はＭＰＥＧオーディオデコーダ（１）２１の出力オーディオ信号を表し、（ｅ）はＭＰＥＧオーディオデコーダ（２）２２の出力オーディオ信号を表している。
【００４３】
図５に示した例では、（ａ）に示したように、１回目の読み出し処理において、再生しようとするＧＯＰ４のオーディオデータとその時間的な前後のＧＯＰであるＧＯＰ３，ＧＯＰ５のオーディオデータとを読み出し、２回目の読み出し処理において、再生しようとするＧＯＰ３のオーディオデータとその時間的な前後のＧＯＰであるＧＯＰ２，ＧＯＰ４のオーディオデータとを読み出し、３回目の読み出し処理において、再生しようとするＧＯＰ２のオーディオデータとその時間的な前後のＧＯＰであるＧＯＰ１，ＧＯＰ３のオーディオデータとを読み出している。なお、−１／３倍速でオーディオ信号の逆方向の再生を行う場合には、実時間における１ＧＯＰ分の時間で、１ＧＯＰ分のオーディオデータの読み出しを行う。
【００４４】
そして、（ｂ）〜（ｅ）に示したように、１回目の読み出し処理に対応する復号化処理は、ＭＰＥＧオーディオデコーダ（１）２１で行っている。このとき、ＭＰＥＧオーディオデコーダ（１）２１は、再生しようとするＧＯＰであるＧＯＰ４のオーディオデータと、その時間的な前後のオーディオフレームであるＧＯＰ３の最後のオーディオフレームとＧＯＰ５の最初のオーディオフレームの各オーディオデータとを入力し、これらを用いて、ＧＯＰ４のオーディオデータの復号化処理を行い、ＧＯＰ４のオーディオ信号を出力している。次に、２回目の読み出し処理に対応する復号化処理は、ＭＰＥＧオーディオデコーダ（２）２２で行っている。このとき、ＭＰＥＧオーディオデコーダ（２）２２は、再生しようとするＧＯＰであるＧＯＰ３のオーディオデータと、その時間的な前後のオーディオフレームであるＧＯＰ２の最後のオーディオフレームとＧＯＰ４の最初のオーディオフレームの各オーディオデータとを入力し、これらを用いて、ＧＯＰ３のオーディオデータの復号化処理を行い、ＧＯＰ３のオーディオ信号を出力している。次に、３回目の読み出し処理に対応する復号化処理は、ＭＰＥＧオーディオデコーダ（１）２２で行っている。このとき、ＭＰＥＧオーディオデコーダ（１）２１は、再生しようとするＧＯＰであるＧＯＰ２のオーディオデータと、その時間的な前後のオーディオフレームであるＧＯＰ１の最後のオーディオフレームとＧＯＰ３の最初のオーディオフレームの各オーディオデータとを入力し、これらを用いて、ＧＯＰ２のオーディオデータの復号化処理を行い、ＧＯＰ２のオーディオ信号を出力している。このようにして、ＧＯＰ４，ＧＯＰ３，ＧＯＰ２のオーディオ信号が、この順に、正しく生成される。
【００４５】
復号化処理によって生成された各ＧＯＰのオーディオ信号は、ＧＯＰ毎に、メモリ２３に書き込まれる。そして、このメモリ２３より、オーディオ信号を逆方向に読み出して、出力デジタルオーディオ信号ＡO として出力することにより、オーディオ信号の逆方向の再生が実現される。なお、−１／３倍速で逆方向の再生を行う場合には、実時間における３ＧＯＰ分の時間で、メモリ２３より１ＧＯＰ分のオーディオ信号を読み出して、出力する。このようにして、図５に示した例では、ＧＯＰ４，ＧＯＰ３，ＧＯＰ２のオーディオ信号が、−１／３倍速で逆方向に再生される。
【００４６】
図６は、−１倍速でオーディオ信号の逆方向の再生を行う場合について示している。図６において、（ａ）は、ハードディスク装置１５において読み出されるＧＯＰを表し、（ｂ）はＭＰＥＧオーディオデコーダ（１）２１に入力されるオーディオデータを表し、（ｃ）はＭＰＥＧオーディオデコーダ（２）２２に入力されるオーディオデータを表し、（ｄ）はＭＰＥＧオーディオデコーダ（１）２１の出力オーディオ信号を表し、（ｅ）はＭＰＥＧオーディオデコーダ（２）２２の出力オーディオ信号を表している。
【００４７】
図６に示した例では、（ａ）に示したように、１回目の読み出し処理において、再生しようとするＧＯＰ４のオーディオデータとその時間的な前後のＧＯＰであるＧＯＰ３，ＧＯＰ５のオーディオデータとを読み出し、２回目の読み出し処理において、再生しようとするＧＯＰ３のオーディオデータとその時間的な前後のＧＯＰであるＧＯＰ２，ＧＯＰ４のオーディオデータとを読み出し、３回目の読み出し処理において、再生しようとするＧＯＰ２のオーディオデータとその時間的な前後のＧＯＰであるＧＯＰ１，ＧＯＰ３のオーディオデータとを読み出している。なお、−１倍速でオーディオ信号の逆方向の再生を行う場合には、実時間における１ＧＯＰ分の時間で、３ＧＯＰ分のオーディオデータの読み出しを行う。
【００４８】
そして、（ｂ）〜（ｅ）に示したように、１回目の読み出し処理に対応する復号化処理は、ＭＰＥＧオーディオデコーダ（１）２１で行っている。このとき、ＭＰＥＧオーディオデコーダ（１）２１は、再生しようとするＧＯＰであるＧＯＰ４のオーディオデータと、その時間的な前後のオーディオフレームであるＧＯＰ３の最後のオーディオフレームとＧＯＰ５の最初のオーディオフレームの各オーディオデータとを入力し、これらを用いて、ＧＯＰ４のオーディオデータの復号化処理を行い、ＧＯＰ４のオーディオ信号を出力している。次に、２回目の読み出し処理に対応する復号化処理は、ＭＰＥＧオーディオデコーダ（２）２２で行っている。このとき、ＭＰＥＧオーディオデコーダ（２）２２は、再生しようとするＧＯＰであるＧＯＰ３のオーディオデータと、その時間的な前後のオーディオフレームであるＧＯＰ２の最後のオーディオフレームとＧＯＰ４の最初のオーディオフレームの各オーディオデータとを入力し、これらを用いて、ＧＯＰ３のオーディオデータの復号化処理を行い、ＧＯＰ３のオーディオ信号を出力している。次に、３回目の読み出し処理に対応する復号化処理は、ＭＰＥＧオーディオデコーダ（１）２２で行っている。このとき、ＭＰＥＧオーディオデコーダ（１）２１は、再生しようとするＧＯＰであるＧＯＰ２のオーディオデータと、その時間的な前後のオーディオフレームであるＧＯＰ１の最後のオーディオフレームとＧＯＰ３の最初のオーディオフレームの各オーディオデータとを入力し、これらを用いて、ＧＯＰ２のオーディオデータの復号化処理を行い、ＧＯＰ２のオーディオ信号を出力している。
【００４９】
復号化処理によって生成された各ＧＯＰのオーディオ信号は、メモリ２３に書き込まれる。そして、このメモリ２３より、オーディオ信号を逆方向に読み出して、出力デジタルオーディオ信号ＡO として出力することにより、オーディオ信号の逆方向の再生が実現される。なお、−１倍速で逆方向の再生を行う場合には、実時間における１ＧＯＰ分の時間で、メモリ２３より１ＧＯＰ分のオーディオ信号を読み出して、出力する。このようにして、図６に示した例では、ＧＯＰ４，ＧＯＰ３，ＧＯＰ２のオーディオ信号が、−１倍速で逆方向に再生される。
【００５０】
オーディオ信号を−１倍速で逆方向に再生する場合、例えば、ＧＯＰ４の最後のオーディオフレームのオーディオデータを復号化する際には、ＧＯＰ４の最後のオーディオフレームとその前のオーディオフレームとＧＯＰ５の先頭のオーディオフレームのオーディオデータを用いて復号化処理が行われる。次に、ＧＯＰ３の先頭のオーディオフレームのオーディオデータを復号化することになるが、その際には、ＧＯＰ２の最後のオーディオフレームとＧＯＰ３の先頭のオーディオフレームとその次のオーディオフレームのオーディオデータを用いて復号化処理が行われる。このように、逆方向の再生時には、ＧＯＰの境目の前後における復号化処理では、必要なオーディオデータが全く異なる。従って、１つのＭＰＥＧオーディオデコーダのみで−１倍速の逆方向の再生を行おうとすると、ＧＯＰの境目の前後において連続的な復号化処理が困難となると共に、ＭＰＥＧオーディオデコーダに対するオーディオデータの与え方が複雑になる。これに対し、本実施の形態では、２つのＭＰＥＧオーディオデコーダ２１，２２によって、ＧＯＰ毎に復号化処理を交互に行うようにしたので、各ＭＰＥＧオーディオデコーダ２１，２２に対しては、必要なオーディオデータを、ハードディスク装置１５によって読み出した順番に与えればよいので、処理が簡単になる。
【００５１】
以上説明したように本実施の形態に係るオーディオ・ビデオ信号記録再生装置、オーディオ信号再生方法またはオーディオ信号記録再生方法によれば、ハードディスク装置２５における１回の読み出し処理において、少なくとも、再生しようとする１ＧＯＰ分のオーディオデータとその時間的な前後のオーディオフレームのオーディオデータとを読み出し、１回の読み出し処理において読み出したオーディオデータを用いた復号化処理を、１回の読み出し処理毎に、２つのＭＰＥＧオーディオデコーダ２１，２２によって交互に行い、得られたオーディオ信号を、メモリ２３によって、一旦記憶し、時間的に逆方向に出力させることによりオーディオ信号の逆方向の再生を行うようにしたので、ハードディスクに記録された符号化されたオーディオデータを、所定数の復号化単位毎に読み出して、復号化単位毎に復号化し、オーディオ信号として再生する場合において、簡単な処理で、オーディオ信号の逆方向の再生が可能となる。
【００５２】
図７は、本発明の第２の実施の形態に係るオーディオ・ビデオ信号記録再生装置の構成を示すブロック図である。本実施の形態に係るオーディオ・ビデオ信号記録再生装置は、第１の実施の形態に係るオーディオ・ビデオ信号記録再生装置における２つのＭＰＥＧオーディオデコーダ２１，２２の代わりに、１つのＭＰＥＧオーディオデコーダ２０を設けたものである。本実施の形態では、メモリ１７から読み出されたオーディオデータは、ＣＰＵ２５からのコマンドにより、ＭＰＥＧオーディオデコーダ２０に送られ、ＭＰＥＧオーディオデコーダ２０によって復号化されてオーディオ信号に復元され、このオーディオ信号は、ＣＰＵ２５からのコマンドにより、メモリ２３に書き込まれ、読み出されて、出力デジタルオーディオ信号ＡO として出力されるようになっている。
【００５３】
本実施の形態では、オーディオ信号の逆方向の再生時には、第１の実施の形態において２つのＭＰＥＧオーディオデコーダ２１，２２によって行っていた復号化処理を、１つのＭＰＥＧオーディオデコーダ２０によって行う。この場合、オーディオ信号を−１倍速で逆方向に再生する際には、前述のように、ＧＯＰの境目の前後における復号化処理では、連続的な復号化処理ができないが、ＭＰＥＧオーディオデコーダ２０の処理速度が十分速い場合、すなわち、ＭＰＥＧオーディオデコーダ２０が、実時間における１ＧＯＰ分の時間内で、必要なオーディオデータの入力と１ＧＯＰ分の復号化処理とを実行できるだけの処理速度を有する場合には、本実施の形態においても、−１倍速での逆方向の再生も可能となる。
【００５４】
なお、本実施の形態において、オーディオ信号の順方向の再生の際には、第１の実施の形態においてＭＰＥＧオーディオデコーダ２１によって行っていた復号化処理を、ＭＰＥＧオーディオデコーダ２０によって行う。本実施の形態におけるその他の構成、動作および効果は、第１の実施の形態と同様である。
【００５５】
なお、本発明は上記各実施の形態に限定されず、例えば、実施の形態では、オーディオ信号の逆方向の再生の動作例として、−１／３倍速と−１倍速の場合の例を挙げたが、ハードディスク装置１５におけるデータの読み出し速度や、ＭＰＥＧオーディオデコーダにおける処理速度が許す限り、その他の再生速度での逆方向の再生も可能である。いずれの再生速度の場合においても、メモリ２３からのオーディオ信号の読み出しの速度は、再生速度に対応した速度で行うようにする。
【００５６】
また、実施の形態では、１ＧＯＰを１５ビデオフレームとして説明したが、１ＧＯＰ当たりのビデオフレーム数は変更してもよい。また、実施の形態では、ＭＰＥＧオーディオ規格のレイヤ２の場合を例にとって説明したが、本発明は、ＭＰＥＧオーディオ規格のレイヤ１やレイヤ３の場合にも同様に適用することができる。更に、本発明は、記録媒体に記録された符号化されたオーディオデータを少なくとも所定数の復号化単位毎に読み出し、復号化の対象となる復号化単位のオーディオデータとその時間的な前後の復号化単位のオーディオデータとを用いて、復号化の対象となる復号化単位のオーディオデータを復号化するようなシステムであれば、ＭＰＥＧオーディオ規格以外の方法で符号化や復号化を行うシステムにも適用することが可能である。
【００５７】
また、実施の形態において、オーディオ・ビデオ信号記録再生装置に入力されるビデオ信号およびオーディオ信号や、オーディオ・ビデオ信号記録再生装置より出力されるビデオ信号およびオーディオ信号を、全てデジタル信号としたが、アナログの入力ビデオ信号および入力オーディオ信号をアナログ−デジタル変換したり、デジタルの出力ビデオ信号および出力オーディオ信号をデジタル−アナログ変換して出力することで、アナログのビデオ信号およびオーディオ信号を扱うことができるようにしてもよい。
【００５８】
また、実施の形態では、ハードディスク装置１５とのインタフェースとして、ＰＣＩインタフェースを用いて説明したが、ＰＣＩインタフェースの代わりに、ＳＣＳＩ（Small Computer System Interface ）や他のインターフェースを用いてもよい。また、符号化されたデータの記録および再生を行う装置としては、ハードディスク装置に限らず、光ディスク装置等を用いてもよく、記録媒体としてはハードディスクに限らず、光ディスク（光磁気ディスクを含む。）等を用いてもよい。
【００５９】
【発明の効果】
以上説明したように請求項１または２記載のオーディオ信号再生装置、請求項３または４記載のオーディオ信号再生方法、請求項５または６記載のオーディオ信号記録再生装置、または請求項７または８記載のオーディオ信号記録再生方法によれば、１回の読み出し処理において、少なくとも、所定数の復号化単位のオーディオデータとその時間的な前後の復号化単位のオーディオデータとを記録媒体より読み出し、読み出されたオーディオデータのうち、復号化の対象となる復号化単位のオーディオデータとその時間的に前後の復号化単位のオーディオデータとを用いて、復号化の対象となる復号化単位のオーディオデータを復号化して、オーディオ信号を生成し、生成されたオーディオ信号を一旦記憶し、時間的に逆方向に出力することによりオーディオ信号の逆方向の再生を行うようにしたので、記録媒体に記録された符号化されたオーディオデータを、所定数の復号化単位毎に読み出して、復号化単位毎に復号化し、オーディオ信号として再生する場合において、オーディオ信号の逆方向の再生が可能となるという効果を奏する。
【００６０】
また、請求項２記載のオーディオ信号再生装置、請求項４記載のオーディオ信号再生方法、請求項６記載のオーディオ信号記録再生装置、または請求項８記載のオーディオ信号記録再生方法によれば、オーディオ信号の逆方向の再生時に、１回の読み出し処理毎に、復号化処理を２つの復号化器によって交互に行うようにしたので、更に、簡単な処理で、オーディオ信号の逆方向の再生が可能となるという効果を奏する。
【図面の簡単な説明】
【図１】本発明の第１の実施の形態に係るオーディオ・ビデオ信号記録再生装置の構成を示すブロック図である。
【図２】図１におけるＭＰＥＧオーディオエンコーダの構成の一例を示すブロック図である。
【図３】図１におけるＭＰＥＧオーディオデコーダの構成の一例を示すブロック図である。
【図４】図１におけるＭＰＥＧオーディオデコーダにおいて１ＧＯＰ分のオーディオデータの復号化を行う場合に必要なオーディオフレームの一例を示す説明図である。
【図５】本発明の第１の実施の形態に係るオーディオ・ビデオ信号記録再生装置におけるオーディオ信号の逆方向の再生の動作の具体例について説明するための説明図である。
【図６】本発明の第１の実施の形態に係るオーディオ・ビデオ信号記録再生装置におけるオーディオ信号の逆方向の再生の動作の具体例について説明するための説明図である。
【図７】本発明の第２の実施の形態に係るオーディオ・ビデオ信号記録再生装置の構成を示すブロック図である。
【符号の説明】
１２…ＭＰＥＧオーディオエンコーダ、１５…ハードディスク装置、２１，２２…ＭＰＥＧオーディオデコーダ、２３…メモリ、２５…ＣＰＵ。
【図１】
0003922411.tif 000002
【図２】
0003922411.tif 000003
【図３】
0003922411.tif 000004
【図４】
0003922411.tif 000005
【図５】
0003922411.tif 000006
【図６】
0003922411.tif 000007
【図７】
0003922411.tif 000008